【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
次式の化合物であって、
【化１】
2015044993.tif 000001
式中、
（ａ）ＲaおよびＲbはそれぞれ、他方から独立して、
（ｉ）水素；
（ｉｉ）アルキル中にヘテロ原子が場合によって存在してもよい、置換および非置換のアルキルを含むアルキル；
（ｉｉｉ）アリール中にヘテロ原子が場合によって存在してもよい、置換および非置換アリールを含むアリール；
（ｉｖ）アリールアルキルのアリールまたはアルキル部分のいずれかにヘテロ原子が場合によって存在してもよい、置換および非置換のアリールアルキルを含むアリールアルキル；または
（ｖ）アルキルアリールのアリールまたはアルキル部分のいずれかにヘテロ原子が場合によって存在してもよい、置換および非置換のアルキルアリールを含むアルキルアリールであり；
（ｂ）Ｒ1およびＲ2はそれぞれ、他方から独立して
（ｉ）Ｒ1およびＲ2の少なくとも１つが水素以外であることを条件として、水素；
（ｉｉ）Ｒ1およびＲ2がともにアルキルであるときＲ1およびＲ2の少なくとも１つは少なくとも約６個の炭素を有することを条件として、アルキル中にヘテロ原子が場合によって存在してもよい、置換および非置換のアルキルを含むアルキル；
（ｉｉｉ）アリール中にヘテロ原子が場合によって存在してもよい、置換および非置換のアリールを含むアリール；
（ｉｖ）アリールアルキルのアリールまたはアルキル部分のいずれかにヘテロ原子が場合によって存在してもよい、置換および非置換のアリールアルキルを含むアリールアルキル；または
（ｖ）アルキルアリールのアリールまたはアルキル部分のいずれかにヘテロ原子が場合によって存在してもよい、置換および非置換のアルキルアリールを含むアルキルアリールである、化合物。
【請求項２】
次式で表される、請求項１に記載の化合物。
【化２】
2015044993.tif 000002
【請求項３】
次式で表される、請求項１に記載の化合物。
【化３】
2015044993.tif 000003
【請求項４】
請求項１に記載の化合物であって、
Ｒ1およびＲ2の少なくとも一方は、次式で表されるものであり、
【化４】
2015044993.tif 000004
上式において、ｎは、約８から約１００である、化合物。
【請求項５】
請求項１に記載の化合物であって、
Ｒ1およびＲ2の少なくとも一方は、次式で表されるものであり、
【化５】
2015044993.tif 000005
上式において、ｍ＋ｐは、約８から約１００である、化合物。
【請求項６】
請求項１に記載の化合物であって、
Ｒ1およびＲ2の少なくとも一方は、次式で表されるものであり、
【化６】
2015044993.tif 000006
上式において、ｑ＋ｒは、約８から約１００である、化合物。
【請求項７】
請求項１に記載の化合物であって、
Ｒ1およびＲ2の少なくとも一方は、次式で表されるものであり、
【化７】
2015044993.tif 000007
上式において、ｓ＋ｔは、約８から約１００である、化合物。
【請求項８】
請求項１に記載の化合物であって、
Ｒ1およびＲ2の少なくとも一方は、次式で表されるものであり、
【化８】
2015044993.tif 000008
上式において、ｕ＋ｖは、約８から約１００である、化合物。
【請求項９】
請求項１に記載の化合物であって、
Ｒ1およびＲ2の少なくとも一方は、次式で表されるものであり、
【化９】
2015044993.tif 000009
上式において、ｗ＋ｘは、約８から約１００である、化合物。
【請求項１０】
請求項１に記載の化合物であって、
Ｒ1およびＲ2の少なくとも一方は、次式で表されるものであり、
【化１０】
2015044993.tif 000010
上式において、ｙ＋ｚは、約８から約１００である、化合物。
【請求項１１】
請求項１に記載の化合物であって、
Ｒ1およびＲ2の少なくとも一方は、次式で表されるものであり、
【化１１】
2015044993.tif 000011
上式において、ｅ＋ｆは、約８から約１００である、化合物。
【請求項１２】
請求項１に記載の化合物であって、
Ｒ1およびＲ2の少なくとも１つが少なくとも約１２個の炭素を有する、化合物。
【請求項１３】
請求項１に記載の化合物であって、
Ｒ6およびＲ7が結合して芳香環を形成する、化合物。
【請求項１４】
次式の化合物であって、
【化１２】
2015044993.tif 000012
［式中、
（ａ）ＲaおよびＲbはそれぞれ、他方から独立して、
（ｉ）水素；
（ｉｉ）約１から約１００個の炭素を有するアルキル中にヘテロ原子が場合によって存在してもよい、置換および非置換のアルキルを含むアルキル；
（ｉｉｉ）約４から約２４個の炭素を有するアリール中にヘテロ原子部分が場合によって存在する、置換および非置換アリールを含むアリール；
（ｉｖ）約５から約１００個の炭素を有するアリールアルキルのアリールまたはアルキル部分のいずれかにヘテロ原子が場合によって存在してもよい、置換および非置換のアリールアルキルを含むアリールアルキル；または
（ｖ）約５から約１００個の炭素を有するアルキルアリールのアリールまたはアルキル部分のいずれかにヘテロ原子が場合によって存在してもよい、置換および非置換のアルキルアリールを含むアルキルアリールであり；
（ｂ）Ｒ1およびＲ2の少なくとも一方は、
（ａ）
【化１３】
2015044993.tif 000013
上式において、ｎが約８から約１００である式、
（ｂ）
【化１４】
2015044993.tif 000014
上式において、ｍ＋ｐが約８から約１００である式、
（ｃ）
【化１５】
2015044993.tif 000015
上式において、ｑ＋ｒが約８から約１００である式、
（ｄ）
【化１６】
2015044993.tif 000016
上式において、ｓ＋ｔが約８から約１００である式、
（ｅ）
【化１７】
2015044993.tif 000017
上式において、ｕ＋ｖが約８から約１００である式、
（ｆ）
【化１８】
2015044993.tif 000018
上式において、ｗ＋ｘが約８から約１００である式、
（ｇ）
【化１９】
2015044993.tif 000019
上式において、ｙ＋ｚが約８から約１００である式、
（ｈ）
【化２０】
2015044993.tif 000020
上式において、ｅ＋ｆが約８から約１００である式、または
（ｉ）これらの組み合わせの式で表されるものであり、
（ｃ）Ｒ3、Ｒ4、Ｒ5、Ｒ6およびＲ7はそれぞれ、他方から独立して、
（１）約１から約１００個の炭素を有するアルキル中にヘテロ原子が場合によって存在してもよい、置換および非置換のアルキルを含むアルキル；
（２）約４から約２４個の炭素を有するアリール中にヘテロ原子が場合によって存在してもよい、置換および非置換のアリールを含むアリール；
（３）約５から約１００個の炭素を有するアリールアルキルのアリールまたはアルキル部分のいずれかにヘテロ原子が場合によって存在してもよい、置換および非置換のアリールアルキルを含むアリールアルキル；
（４）約５から約１００個の炭素を有するアルキルアリールのアリールまたはアルキル部分のいずれかにヘテロ原子が場合によって存在してもよい、置換および非置換のアルキルアリールを含むアルキルアリール；
（５）ハロゲン、ヒドロキシ、アミノ、イミン、アンモニウム、ピリジン、ピリジニウム、エーテル、アルデヒド、ケトン、エステル、アミド、カルボニル、チオカルボニル、スルファート、スルホナート、スルホン酸、スルフィド、スルホキシド、ホスフィン、ホスホニウム、ホスファート、ホスホナート、ニトリル、メルカプト、ニトロ、ニトロソ、スルホン、アシル、酸無水物、アジド、アゾ、シアナート、イソシアナート、チオシアナート、イソチオシアナート、カルボキシラート、カルボン酸、カルバマート、カルバミド、シリル、シロキシル、シランまたはその組み合わせである、水素、アルキル、アリール、アリールアルキルまたはアルキルアリール以外の置換基；または、
（６）水素であり；
ここで、Ｒ3、Ｒ4、Ｒ5、Ｒ6およびＲ7の２つ以上は一緒に結合して環を形成することができ、Ｒ3、Ｒ4、Ｒ5、Ｒ6およびＲ7の２つまたは３つは水素である、化合物。
【請求項１５】
次式の化合物であって、
【化２１】
2015044993.tif 000021
式中、
（ａ）ＲaおよびＲbはそれぞれ、他方から独立して、
（ｉ）水素；
（ｉｉ）約１から約１００個の炭素を有するアルキル中にヘテロ原子が場合によって存在してもよい、置換および非置換のアルキルを含むアルキル；
（ｉｉｉ）約６から約１２個の炭素を有するアリール中にヘテロ原子が場合によって存在してもよい、置換および非置換アリールを含むアリール；
（ｉｖ）約７から約１００個の炭素を有するアリールアルキルのアリールまたはアルキル部分のいずれかにヘテロ原子が場合によって存在してもよい、置換および非置換のアリールアルキルを含むアリールアルキル；または
（ｖ）約７から約１００個の炭素を有するアルキルアリールのアリールまたはアルキル部分のいずれかにヘテロ原子が場合によって存在してもよい、置換および非置換のアルキルアリールを含むアルキルアリールであり；
（ｂ）Ｒ1およびＲ2はそれぞれ、他方から独立して
（ｉ）Ｒ1およびＲ2の少なくとも１つが水素以外であることを条件として、水素；
（ｉｉ）Ｒ1およびＲ2がともにアルキルであるときＲ1およびＲ2の少なくとも１つは少なくとも約６個の炭素を有することを条件として、約１から約１００個の炭素を有するアルキル中にヘテロ原子が場合によって存在してもよい、置換および非置換のアルキルを含むアルキル；
（ｉｉｉ）約６から約１２個の炭素を有するアリール中にヘテロ原子が場合によって存在してもよい、置換および非置換のアリールを含むアリール；
（ｉｖ）約７から約１００個の炭素を有するアリールアルキルのアリールまたはアルキル部分のいずれかにヘテロ原子が場合によって存在してもよい、置換および非置換のアリールアルキルを含むアリールアルキル；または
（ｖ）約７から約１００個の炭素を有するアルキルアリールのアリールまたはアルキル部分のいずれかにヘテロ原子が場合によって存在してもよい、置換および非置換のアルキルアリールを含むアルキルアリールである、化合物。
【請求項１６】
次式で表される、請求項１５に記載の化合物。
【化２２】
2015044993.tif 000022
【請求項１７】
次式で表される、請求項１５に記載の化合物。
【化２３】
2015044993.tif 000023